【手続補正書】
【提出日】平成18年7月5日(2006.7.5)
【手続補正１】
【補正対象書類名】明細書
【補正対象項目名】特許請求の範囲
【補正方法】変更
【補正の内容】
【特許請求の範囲】
【請求項１】  それぞれ偏光方向の異なる励起光によりほぼ同じ波長を発生する複数の光パラメトリック共振素子が挿入された光パラメトリック共振器と、
この光パラメトリック共振器において波長変換されずに出射された前記励起光の偏光方向を複数の前記光パラメトリック共振素子のうちいずれかの前記光パラメトリック共振素子の偏光方向に合わせて再び前記光パラメトリック共振器に入射させる励起光戻し光学系と、
を具備したことを特徴とする波長変換レーザ装置。
【請求項２】  前記励起光戻し光学系は、前記光パラメトリック共振器において波長変換されずに出射された前記励起光の偏光方向を回転させるファラデーローテータと、
このファラデーローテータを透過した前記励起光を再び前記ファラデーローテータを透過させて前記光パラメトリック共振器に戻す反射ミラーと、
を有することを特徴とする請求項１記載の波長変換レーザ装置。
【請求項３】  前記励起光戻し光学系は、前記光パラメトリック共振器において波長変換されずに出射ミラーから出射された前記励起光の偏光方向を回転させるファラデーローテータと、
このファラデーローテータを透過した前記励起光を反射して前記光パラメトリック共振器の入射ミラーに戻す反射ミラーと、
を有することを特徴とする請求項１記載の波長変換レーザ装置。
【請求項４】  レーザロッドが配置された共振器内部に少なくとも１つの偏光プリズムを配置し、この偏光プリズムによって分離される少なくとも２つの共振光路を形成したレーザ共振器と、
このレーザ共振器の各共振光路上に配置され、前記レーザ共振器で発振されたレーザ光を互いに波長の異なる少なくとも２つのレーザ光に変換する少なくとも２つの光パラメトリック共振器と、
を具備したことを特徴とする波長変換レーザ装置。
【請求項５】  少なくとも２つの前記光パラメトリック共振器は、それぞれ同じ材質の非線形結晶又は互いに異なる材質の非線形結晶を用いたものであることを特徴とする請求項４記載の波長変換レーザ装置。
【請求項６】  少なくとも２つの前記光パラメトリック共振器から出射されたレーザ光をそれぞれ互いに波長の異なる２つのレーザ光に分離する分離光学系を備えたことを特徴とする請求項４記載の波長変換レーザ装置。
【手続補正２】
【補正対象書類名】明細書
【補正対象項目名】００２３
【補正方法】変更
【補正の内容】
【００２３】
【課題を解決するための手段】
本発明は、レーザロッドを配置したレーザ共振器の内部に、複数の光パラメトリック共振素子が挿入された光パラメトリック共振器を配置した波長変換レーザ装置である。
【手続補正３】
【補正対象書類名】明細書
【補正対象項目名】００２４
【補正方法】変更
【補正の内容】
【００２４】
本発明は、上記波長変換レーザ装置において、レーザ共振器の出力ミラーと光パラメトリック共振器の出射ミラーとを兼用した構成である。
【手続補正４】
【補正対象書類名】明細書
【補正対象項目名】００２５
【補正方法】変更
【補正の内容】
【００２５】
本発明は、レーザロッドを配置したレーザ共振器と、このレーザ共振器のレーザ出力光路上に配置された、複数の光パラメトリック共振素子が挿入された光パラメトリック共振器と、を備えた波長変換レーザ装置である。
【手続補正５】
【補正対象書類名】明細書
【補正対象項目名】００２６
【補正方法】変更
【補正の内容】
【００２６】
本発明は、それぞれ偏光方向の異なる励起光によりほぼ同じ波長を発生する複数の光パラメトリック共振素子が挿入された光パラメトリック共振器と、この光パラメトリック共振器において波長変換されずに出射された励起光の偏光方向を複数の光パラメトリック共振素子のうちいずれかの光パラメトリック共振素子の偏光方向に合わせて再び光パラメトリック共振器に入射させる励起光戻し光学系と、を備えた波長変換レーザ装置である。
【手続補正６】
【補正対象書類名】明細書
【補正対象項目名】００２７
【補正方法】変更
【補正の内容】
【００２７】
本発明は、上記波長変換レーザ装置において、光パラメトリック共振器には、互いに偏光方向がほぼ９０度異なる第１及び第２の光パラメトリック共振素子が挿入されている。
【手続補正７】
【補正対象書類名】明細書
【補正対象項目名】００２８
【補正方法】変更
【補正の内容】
【００２８】
本発明は、上記波長変換レーザ装置において、光パラメトリック共振素子は、ＫＴｉＯＰＯ４結晶である。
【手続補正８】
【補正対象書類名】明細書
【補正対象項目名】００２９
【補正方法】変更
【補正の内容】
【００２９】
本発明は、上記波長変換レーザ装置において、励起光戻し光学系は、光パラメトリック共振器において波長変換されずに出射された励起光の偏光方向を回転させるファラデーローテータと、このファラデーローテータを透過した励起光を再びファラデーローテータを透過させて光パラメトリック共振器に戻す反射ミラーと、を有するものである。
【手続補正９】
【補正対象書類名】明細書
【補正対象項目名】００３０
【補正方法】変更
【補正の内容】
【００３０】
本発明は、上記波長変換レーザ装置において、ファラデーローテータは、励起光の偏光方向をほぼ４５度回転させるものである。
【手続補正１０】
【補正対象書類名】明細書
【補正対象項目名】００３１
【補正方法】変更
【補正の内容】
【００３１】
本発明は、上記波長変換レーザ装置において、励起光戻し光学系は、光パラメトリック共振器において波長変換されずに出射ミラーから出射された励起光の偏光方向を回転させるファラデーローテータと、このファラデーローテータを透過した励起光を反射して光パラメトリック共振器の入射ミラーに戻す反射ミラーと、を有するものである。
【手続補正１１】
【補正対象書類名】明細書
【補正対象項目名】００３２
【補正方法】変更
【補正の内容】
【００３２】
本発明は、上記波長変換レーザ装置において、ファラデーローテータは、励起光の偏光方向を９０度回転させるものである。
【手続補正１２】
【補正対象書類名】明細書
【補正対象項目名】００３３
【補正方法】変更
【補正の内容】
【００３３】
本発明は、レーザロッドが配置された共振器内部に少なくとも１つの偏光プリズムを配置し、この偏光プリズムによって分離される少なくとも２つの共振光路を形成したレーザ共振器と、このレーザ共振器の各共振光路上に配置され、レーザ共振器で発振されたレーザ光を互いに波長の異なる少なくとも２つのレーザ光に変換する少なくとも２つの光パラメトリック共振器と、を備えた波長変換レーザ装置である。
【手続補正１３】
【補正対象書類名】明細書
【補正対象項目名】００３４
【補正方法】変更
【補正の内容】
【００３４】
本発明は、上記波長変換レーザ装置において、少なくとも２つの光パラメトリック共振器は、それぞれ同じ材質の非線形結晶又は互いに異なる材質の非線形結晶を用いたものである。
【手続補正１４】
【補正対象書類名】明細書
【補正対象項目名】００３５
【補正方法】変更
【補正の内容】
【００３５】
本発明は、上記波長変換レーザ装置において、少なくとも２つの光パラメトリック共振器には、それぞれＫＴｉＯＰＯ４結晶が配置されたものである。
【手続補正１５】
【補正対象書類名】明細書
【補正対象項目名】００３６
【補正方法】変更
【補正の内容】
【００３６】
本発明は、上記波長変換レーザ装置において、少なくとも２つの光パラメトリック共振器から出射されたレーザ光をそれぞれ互いに波長の異なる２つのレーザ光に分離する分離光学系を備えたものである。